(57)【特許請求の範囲】
【請求項１】
機体走行と同期して回転伝動出力する主伝動機構（３）の回転伝動系から動力を受けてその回動周期における１８０度の位相差をもって揺動動作する２系統の昇降用リンク（１１，１２）と、これら２系統の昇降用リンク（１１，１２）を介して前側の下降行程から後側の上昇行程に至るループ状の作動軌跡（Ｔ）でそれぞれ昇降動作しつつ開閉動作することによって交互に苗株の植付け動作をする側面視で前後配置の２つの植付具（１３，１４）とからなる２つの植付機構（７ａ、７ｂ）を備える野菜苗移植機において、
上記２つの植付具（１３，１４）は、同じ植付条に苗を植付けるべく前後に配置され、その作動軌跡（Ｔ）は前後にずれた互いに異なる位置で描かれてなり、
円形周回軌道（Ｎ）に沿って複数の苗収容体を周回移動させるテーブル状の移送機構（２３，２４）を２つ設け、これら移送機構（２３，２４）から上記植付具（１３，１４）が苗株を受けて圃場に植付ける構成とし、
上記テーブル状の移送機構（２３，２４）の外周を各々外周ギヤ（２３ａ、２４ａ）で構成し、これら外周ギヤ（２３ａ、２４ａ）を互いに噛合して２つの移送機構（２３，２４）を連動すると共に、前側の移送機構（２３）の中心に軸支した支持アーム（２６）で後側の移送機構（２４）の中心を可動支持し、
上記回転伝動系には、その回動周期の所定角度位置で伝動遮断が可能な定位置停止クラッチを設け、その停止位置は、前側の植付具（１３）では前配置側の下降行程の中間点（Ｐ１）に後側の植付具（１４）では後配置側の上昇行程の中間点（Ｐ２）にそれぞれ定めてなることを特徴とする野菜苗移植機。
【発明の詳細な説明】
【技術分野】
【０００１】
本発明は、交互に昇降動作をする２つの植付具によって苗株の植付けをする２つの植付機構を備える野菜苗移植機に関するものである。
【背景技術】
【０００２】
特許文献１に示されるように、交互に昇降動作する２つの植付具を備える野菜苗移植機が知られている（同文献の図３等）。その２つの植付具は、主伝動機構３の回転伝動系から分岐してその回動周期と所定の位相差をもって昇降動作する２系統の昇降リンクを介設することにより、走行動作と対応して交互植付動作を行うことができる。
【０００３】
このような交互植付動作により、隣接する植付具の配置距離より近接した株間距離による近接植付け、および、レタス等の植付けに適用される千鳥植えを可能とするほか、同時植付け動作の場合に避けられない機体の過大な同調振動を招くことなく、可動部の相補的な順次動作による静粛運転を可能とする。
【０００４】
また、上記２系統の昇降リンクは、回転伝動系から受ける動力をその回動周期における所定のタイミングで遮断する定位置停止クラッチを個別に設け、昇降動作の最上点位置で２つの植付具をそれぞれ停止することにより、低位置に停止したまま機体を移動することによる植付具の破損を防止するとともに、植付開始位置に合わせた苗株の供給および機器の清掃や故障の際の植付具のメンテナンス性を確保することができる。
【特許文献１】特開２００７−１５９４０８号公報
【発明の開示】
【発明が解決しようとする課題】
【０００５】
しかしながら、上記野菜苗移植機は、交互動作する２つの植付具を個別のタイミングで停止させるために、それぞれの伝動系に定位置停止クラッチが必要となることから、２つの定位置停止クラッチの組込みによって構成の複雑化とコスト高の問題を招いていた。
【０００６】
本発明の目的は、昇降動作によって苗株を植付けする２つの植付具について交互動作を確保しつつ、その取扱いに支障を生じる昇降の最下点を避けて昇降動作を停止することができる簡易な構成の植付機構を備える野菜苗移植機を提供することにある。
【課題を解決するための手段】
【０００７】
請求項１に係る発明は、機体走行と同期して回転伝動出力する主伝動機構の回転伝動系から動力を受けてその回動周期における１８０度の位相差をもって揺動動作する２系統の昇降用リンクと、これら２系統の昇降用リンクを介して前側の下降行程から後側の上昇行程に至るループ状の作動軌跡でそれぞれ昇降動作しつつ開閉動作することによって交互に苗株の植付け動作をする側面視で前後配置の２つの植付具とからなる２つの植付機構を備える野菜苗移植機において、上記２つの植付具は、同じ植付条に苗を植付けるべく前後に配置され、その作動軌跡は前後にずれた互いに異なる位置で描かれてなり、円形周回軌道に沿って複数の苗収容体を周回移動させるテーブル状の移送機構を２つ設け、これら移送機構から上記植付具が苗株を受けて圃場に植付ける構成とし、上記テーブル状の移送機構の外周を各々外周ギヤで構成し、これら外周ギヤを互いに噛合して２つの移送機構を連動すると共に、前側の移送機構の中心に軸支した支持アームで後側の移送機構の中心を可動支持し、上記回転伝動系には、その回動周期の所定角度位置で伝動遮断が可能な定位置停止クラッチを設け、その停止位置は、前側の植付具では前配置側の下降行程の中間点に後側の植付具では後配置側の上昇行程の中間点にそれぞれ定めてなることを特徴とする。
【０００８】
上記２系統の昇降用リンクは、回転伝動系から動力を受けてその回動周期および１８０度の位相差をもって揺動動作し、これら２系統の昇降用リンクを介して２つの植付具がそれぞれ交互に昇降しつつ開閉動作することにより、２つの植付機構が交互に苗株の植付けを行い、また、定位置停止クラッチの伝動遮断動作により、前側配置の植付具がその下降行程の中間点で停止するとともに、後側配置の植付具がその上昇行程の中間点で停止する。また、前後に配置された２つの植付具は、円形周回軌道に沿って複数の苗収容体を周回移動させる２つのテーブル状の移送機構から苗株を受け、同じ植付条に苗を植付ける。
【発明の効果】
【０００９】
請求項１の発明により、２つの植付機構が交互に苗株の植付けを行い、また、定位置停止クラッチの伝動遮断動作により、一方の植付具がその昇降範囲の中間点で停止すると、交互動作によって昇降動作中の他方の植付具がその昇降範囲の中間点で停止することから、上記野菜苗移植機は、単一のクラッチを備えた簡易な構成の回転伝動系により、２つの植付具について交互動作を確保しつつ、その取扱いに支障を生じる昇降の最下点を避け、かつ、個々の植付具につてメンテナンス作業スペースを確保して植付けを停止することが可能となる。
また、所望の株間で植付できる。
【発明を実施するための最良の形態】
【００１０】
上記技術思想に基づいて具体的に構成された実施の形態について以下に図面を参照しつつ説明する。
本発明に係る植付機構を備えた野菜苗移植機は、その側面図、平面図をそれぞれ図１、図２に示すように、機体前部にエンジン一体構成の主伝動機構３を中心とする機体と、その前部を案内支持する左右の案内前輪４，４及び左右の駆動後輪５，５と、主伝動機構３のケ−ス後部から延びるハンドルフレーム３ａに苗株移送機構６および２つの植付機構７ａ，７ｂによる植付装置、覆土鎮圧輪８及び後方に延びる操縦ハンドル９等を備えて構成される。
【００１１】
詳細には、主伝動機構３には、機体高さと左右高さを調整するために、その両側にアーム状の左右の伝動支持部５ａ，５ａを回動可能に備え、この左右の伝動支持部５ａ，５ａを介して左右の駆動後輪５，５を支持するとともに、前後方向に長い周回軌道に沿って複数の苗収容体を周回移動するテーブル状の移送機構６、その苗株を受けて圃場に植付けするべく所定の植付軌跡Ｔで昇降動作する前後配置の２つの植付機構７ａ，７ｂを走行系と同期して伝動する。
【００１２】
（植付機構）
２つの植付機構７ａ，７ｂは、主伝動機構３から分岐する不図示の回転伝動系から動力を受けてその回動周期について１８０度の位相差をもって揺動動作する２系統の昇降用リンク１１，１２と、これら２系統の昇降用リンク１１，１２を介してそれぞれの植付作動軌跡Ｔにより前側の下降行程から後側の上昇行程に至るループ状に昇降動作しつつ開閉動作によって苗株を交互に植付け動作する２つの植付具１３，１４とを備えて構成される。これら２つの植付具１３，１４は、左右勝手違いに構成した２系統の昇降用リンク１１，１２にそれぞれ連結して支持し、これらを前後にオフセットして主伝動機構３に接続する。その回転伝動系には、回動周期の所定角度位置で伝動遮断が可能な定位置停止クラッチ（不図示）を設け、その停止位置を２つの植付具１３，１４について、前配置側植付具１３の下降行程の中間点Ｐ１および後配置側植付具１４の上昇行程の中間点Ｐ２に設定する。
【００１３】
上記２系統の昇降用リンク１１，１２は、回転伝動系から動力を受けてその回動周期および１８０度の位相差をもって揺動動作し、これら２系統の昇降用リンク１１，１２を介して２つの植付具１３，１４がそれぞれ交互に昇降しつつ開閉動作することにより、２つの植付機構７ａ，７ｂが交互に苗株の植付けを行い、また、定位置停止クラッチの伝動遮断動作により、２つの植付具１３，１４の一方の植付具がその昇降範囲の中間点Ｐ１，Ｐ２で停止すると、交互動作によって昇降動作中の他方の植付具がその昇降範囲の中間点Ｐ２、Ｐ１で停止する。したがって、上記構成の野菜苗移植機は、単一のクラッチを備えた簡易な構成の回転伝動系により、２つの植付具１３，１４について交互動作を確保しつつ、その取扱いに支障を生じる昇降の最下点を避け、かつ、個々の植付具につてメンテナンス作業スペースを確保して植付けを停止することができる。
なお、２つの植付具１３，１４については、側面視で前後位置の配置構成の場合にも同様にして適用することができる。
【００１４】
（オフセット変更）
次に、前後の植付具のオフセット対応の移送機構について説明する。
図３は、軌道調節式の移送機構を備えた野菜苗移植機の平面図である。
移送機構２１は、スプロケット２２，２２の軸間距離を変えることによって部分的に周回軌道Ｍの経路を変更可能に構成する。この周回軌道Ｍの変更により、移送苗株の落下する位置を所要の株間距離にオフセットした植付具１４の位置に合わせることができる。
【００１５】
また、別の構成の移送機構を備えた野菜苗移植機は、その平面図を図４に示すように、円形周回軌道Ｎを有する２つのテーブル状の移送機構２３、２４にそれぞれ外周ギヤ２３ａ、２４ａを設け、両者間に位置調節可能に配置した伝動用のカウンタギヤ２５を設けることにより、後側の移送機構２４に位置の自由度を持たせつつ、前側の移送機構２３と連動して後側の移送機構２４を回動駆動することができるので、後側の移送機構２４は、後側の植付具１４のオフセットに合わせることができる。
【００１６】
さらに別の構成の移送機構を備えた野菜苗移植機は、その平面図を図５に示すように、円形周回軌道Ｎを有する２つのテーブル状の移送機構２３，２４に外周ギヤ２３ａ、２４ａを設けて連動するとともに、前側の移送機構２３の中心に軸支した支持アーム２６で後側の移送機構２４の中心を可動支持することにより、噛み合わせを変えて後側の移送機構２４を後側の植付具１４のオフセットに合わせ、また、底蓋開閉部材２７を調節可能に構成することにより、落下位置を切替えることができる。この場合、苗枠２８は、オペレータが苗をとりやすい位置に斜めに配置する。
【００１７】
（傾斜地対応構成）
次に、傾斜地走行に対応可能な野菜苗移植機について説明する。
この野菜苗移植機の構成は、その平面図を図６に示すように、左右の伝動支持部５ａ，５ａと連結して車高調節するピボットリンク３１との間の左右の伝動系の一方に介設する傾斜調節用のローリングシリンダ３２、および、左右の案内前輪４，４に設けた操舵機構３３に連結する操舵用の油圧シリンダ３４について、ワンレバー３５で油圧制御することにより、傾斜地走行に簡易に対応することができる。
【００１８】
また、図７の平面図に示す別の構成の野菜苗移植機について、その制動および操舵の操作系配索図を図８に示すように、左右の案内前輪４，４に設けた左右のブレーキ３６，３６をローリングシリンダ３２と連結し、機体の傾きと連動して山側前輪にブレーキを掛けることにより、機体が谷側に流れることを防止できる。そのブレーキ力は、傾斜角度と比例して大きくすることにより、傾斜地における直進走行が確保される。さらに、左右の案内前輪４，４のナックル３３ａ、３３ａに個別配索することにより、ローリングシリンダ３２の伸縮で連動操舵することができる。
【図面の簡単な説明】
【００１９】
【図１】野菜苗移植機の側面図
【図２】図１の野菜苗移植機の平面図
【図３】軌道調節式の移送機構を備えた野菜苗移植機の平面図
【図４】別の構成の移送機構を備えた野菜苗移植機の平面図
【図５】さらに別の構成の移送機構を備えた野菜苗移植機の平面図
【図６】傾斜地走行に対応可能な野菜苗移植機の平面図
【図７】別の構成の野菜苗移植機の平面図
【図８】制動および操舵の操作系配索図
【符号の説明】
【００２０】
３  主伝動機構（回転伝動系）
６  苗株移送機構
７ａ  植付機構
７ｂ  植付機構
１１  昇降用リンク
１２  昇降用リンク
１３  側植付具
１４  植付具
Ｐ１  下降行程中間点
Ｐ２  上昇行程中間点
Ｔ  作動軌跡
【図１】
0005083712.tif 000002
【図２】
0005083712.tif 000003
【図３】
0005083712.tif 000004
【図４】
0005083712.tif 000005
【図５】
0005083712.tif 000006
【図６】
0005083712.tif 000007
【図７】
0005083712.tif 000008
【図８】
0005083712.tif 000009